(57)【要約】【課題】発光素子および受光素子双方同時に光ファイバとの良好な光結合を実現する光通信モジュール及びその組付方法を提供する。【解決手段】光ファイバ１を保持する第１部材６ａと、レンズ５を保持する第２部材６ｂと、発光素子７ｂと受光素子４とを保持する第３部材６ｃとからなる光通信モジュールにおいて、第２部材６ｂと第３部材６ｃとは、レンズ５の光軸方向に相対位置調整可能に嵌合しており、調整後に固定されるので、第２部材６ｂと第３部材６ｃの製造誤差に関わらず、レンズ５と、発光素子７ｂ及び受光素子４とを、最適な相対位置に精度良く配置できるため、エラー信号の発生を抑制することができる。【選択図】図６
2008233584.tif 000002
【特許請求の範囲】
【請求項１】
光ファイバを保持する第１部材と、分光特性を有する光学部材を保持する第２部材と、発光素子と受光素子とを保持する第３部材とからなる光通信モジュールにおいて、
前記第２部材と前記第３部材とは、前記光学素子の光軸方向に相対位置調整可能に嵌合しており、調整後に固定されることを特徴とする光通信モジュール。
【請求項２】
前記第２部材と前記第３部材とは、前記光学素子の光軸回りに相対回転位置調整可能に嵌合しており、調整後に固定されることを特徴とする請求項１に記載の光通信モジュール。
【請求項３】
前記第１部材と前記第２部材とは、前記光学素子の光軸方向に対して交差する方向に位置調整可能となっており、調整後に固定されることを特徴とする請求項１又は２に記載の光通信モジュール。
【請求項４】
前記光ファイバと前記第１部材とは、前記光学素子の光軸方向に位置調整可能となっており、調整後に固定されることを特徴とする請求項１〜３のいずれかに記載の光通信モジュール。
【請求項５】
前記受光素子には、前記光ファイバの端面から出射される波長λ１の光が入射し、前記発光素子は、前記光ファイバの端面に入射させるため波長λ２（λ１≠λ２）の光を出射するようになっており、
前記光学素子は、前記波長λ２の光が通過したときに、ｍ（ｍは整数）次回折光が最も光量が高くなり、前記波長λ１の光が通過したときに、ｎ（ｎは整数であり且つｎ≠ｍ）次回折光が最も光量が高くなる回折構造を有していることを特徴とする請求項１〜４のいずれかに記載の光通信モジュール。
【請求項６】
前記光学素子は、単一の素子を有することを特徴とする請求項５に記載の光通信モジュール。
【請求項７】
前記光学素子は、複数の素子を有することを特徴とする請求項５に記載の光通信モジュール。
【請求項８】
光ファイバを保持する第１部材と、屈折面と回折構造とを有する光学部材を保持する第２部材と、発光素子と受光素子とを保持する第３部材とを有する光通信モジュールであって、前記光ファイバの端面から出射され前記光学部材に入射した波長λ１の光束は、前記回折構造を通過することによって、前記光学部材の光軸を含む所定の面に対して第１の回折角θ１を与えられた状態で出射するようになっており、また、前記発光素子から出射され前記光学部材に入射した波長λ２（λ１≠λ２）の光束は、前記回折構造を通過することによって、前記所定の面に対して第２の回折角θ２（θ１≠θ２）を与えられた状態で出射するようになっている光通信モジュールの組み付け方法において、
前記光ファイバと、前記光学部材と、前記発光素子及び前記受光素子とが基準位置となるように、前記第１の部材と、前記第２の部材と、前記第３の部材とを位置決めするステップと、
前記発光素子から出射された波長λ２の光束が、前記光ファイバの端面に結像するように、前記光学部材の光軸方向における前記光ファイバと前記第２の部材との相対位置、及び前記光軸方向における前記第２の部材と前記第３の部材との相対位置を設定するステップと、
前記光ファイバより波長λ１に光束を入射させたとき、前記受光素子の受光する光量が増大するように、前記第２の部材と前記第３の部材を前記光学部材の光軸回りに相対回転させるステップと、を有することを特徴とする光通信モジュールの組付方法。
【請求項９】
前記発光素子から出射された波長λ２の光束が、前記光ファイバの端面の所定位置に結像するように、前記光軸方向に直交する方向における前記第１の部材と前記第２の部材との相対位置を設定するステップを更に有することを特徴とする請求項８に記載の光通信モジュールの組付方法。
【請求項１０】
前記第１の部材と、前記第２の部材と、前記第３の部材とを互いに溶接するステップを更に有することを特徴とする請求項８又は９に記載の光通信モジュールの組付方法。
【発明の詳細な説明】
【技術分野】
【０００１】
本発明は、光ファイバの端部に取り付けられて、光ファイバを介して送信された光信号を受信すると共に、光ファイバを介して光信号を送信するための光通信モジュール及び光通信モジュールの組付方法に関する。
【背景技術】
【０００２】
従来、波長の異なる光を用いた双方向伝送による光通信システムでは、光ファイバを介して光信号を送受する端末に、受光素子や発光素子やレンズ等からなる光学系を含む光通信モジュールを設けることが行われている。かかる光通信モジュールの光学系が回折構造による回折効果を利用して送信光と受信光とを分離し、発光素子からの送信光を光ファイバに結像させ、且つ光ファイバからの受信光を受光素子に受光させることができ、それにより小型化とコストダウンとを図ることができる。
【０００３】
特許文献１に記載の従来の光通信モジュールの光学系では、レンズと回折格子を設け、発光素子から出射された送信光は、かかる回折格子で回折が生じることなくそのまま通過して、光ファイバの端面に至るようにし、光ファイバから出射された光束は、回折格子で回折効果を与えて出射方向を変更し、受光素子に入射させるようにしている。
【特許文献１】特開平７−２６１０５４号公報
【発明の開示】
【発明が解決しようとする課題】
【０００４】
ところで、特許文献１に記載された光通信モジュールでは、レンズはパッケージ（鏡筒）によりステム上に支持されており、また光ファイバはホルダーによりステム上に支持されている。しかるに、レンズの屈折面に応じて焦点位置が決まるため、この焦点位置に、光ファイバの端面と、発光素子及び受光素子を精度良く配置する必要がある。ところが、特許文献１の構成では、パッケージ及びホルダーの製造誤差により、光ファイバの端面と、発光素子及び受光素子とは、出来なりで配置されるため、実際の焦点位置と異なってしまう恐れがあり、それにより光ファイバと発光素子および受光素子との光結合が劣化する。これに対し、パッケージ及びホルダーの精度を向上させることで、光ファイバの端面と、発光素子及び受光素子を最適位置に配置することも考えられるが、それによりコスト高を招く。
【０００５】
本発明は、上述のような従来技術の問題に鑑み、安価でありながら、発光素子および受光素子双方同時に光ファイバとの良好な光結合を実現する光通信モジュール及びその組付方法を提供することを目的とする。
【課題を解決するための手段】
【０００６】
第１の本発明の光通信モジュールは、光ファイバを保持する第１部材と、分光特性を有する光学部材を保持する第２部材と、発光素子と受光素子とを保持する第３部材とからなる光通信モジュールにおいて、
前記第２部材と前記第３部材とは、前記光学素子の光軸方向に相対位置調整可能に嵌合しており、調整後に固定されることを特徴とする。
【０００７】
第２の本発明の光通信モジュールの組付方法は、光ファイバを保持する第１部材と、屈折面と回折構造とを有する光学部材を保持する第２部材と、発光素子と受光素子とを保持する第３部材とを有する光通信モジュールであって、前記光ファイバの端面から出射され前記光学部材に入射した波長λ１の光束は、前記回折構造を通過することによって、前記光学部材の光軸を含む所定の面に対して第１の回折角θ１を与えられた状態で出射するようになっており、また、前記発光素子から出射され前記光学部材に入射した波長λ２（λ１≠λ２）の光束は、前記回折構造を通過することによって、前記所定の面に対して第２の回折角θ２（θ１≠θ２、但しθ１，θ２のいずれかはゼロであって良い）を与えられた状態で出射するようになっている光通信モジュールの組み付け方法において、
前記光ファイバと、前記光学部材と、前記発光素子及び前記受光素子とが基準位置となるように、前記第１の部材と、前記第２の部材と、前記第３の部材とを位置決めするステップと、
前記発光素子から出射された波長λ２の光束が、前記光ファイバの端面に結像するように、前記光学部材の光軸方向における前記光ファイバと前記第２の部材との相対位置、及び前記光軸方向における前記第２の部材と前記第３の部材との相対位置を設定するステップと、
前記光ファイバより波長λ１に光束を入射させたとき、前記受光素子の受光する光量が増大するように、前記第２の部材と前記第３の部材を前記光学部材の光軸回りに相対回転させるステップと、を有し、
もう一つのステップ、受光素子と発光素子の間の距離の誤差を吸収するように部材２と部材３の間隔を調整する、を有することを特徴とする。
【発明の効果】
【０００８】
第１の本発明の光通信モジュールによれば、光ファイバを保持する第１部材と、分光特性を有する光学部材を保持する第２部材と、発光素子と受光素子とを保持する第３部材とからなる光通信モジュールにおいて、前記第２部材と前記第３部材とは、前記光学素子の光軸方向に相対位置調整可能に嵌合しており、調整後に固定されるので、前記第２部材と前記第３部材の製造誤差に関わらず、前記光学部材と、前記発光素子及び前記受光素子とを、最適な相対位置に精度良く配置できるため、エラー信号の発生を抑制することができる。なお、「分光特性」とは、光の波長に応じて異なる方向に光を出射する特性をいい、例えば回折特性を含む。
【０００９】
前記第２部材と前記第３部材とは、前記光学素子の光軸回りに相対回転位置調整可能に嵌合しており、間隔も調整可能で、調整後に固定されると、前記光学部材の分光特性に応じて、前記発光素子及び前記受光素子を最適な位置に精度良く配置できる。
【００１０】
前記第１部材と前記第２部材とは、前記光学素子の光軸方向に対して交差する方向に位置調整可能となっており、調整後に固定されると、前記光ファイバと、前記光学部材とを、光軸方向に直交する方向において最適な相対位置に精度良く配置できるので、エラー信号の発生を抑制することができる。
【００１１】
前記光ファイバと前記第１部材とは、前記光学素子の光軸方向に位置調整可能となっており、調整後に固定されると、前記光ファイバと、前記光学部材とを、光軸方向において最適な相対位置に精度良く配置できるので、エラー信号の発生を抑制することができる。
【００１２】
前記受光素子には、前記光ファイバの端面から出射される波長λ１の光が入射し、前記発光素子は、前記光ファイバの端面に入射させるため波長λ２（λ１≠λ２）の光を出射するようになっており、
前記光学素子は、前記波長λ２の光が通過したときに、ｍ（ｍは整数）次回折光が最も光量が高くなり、前記波長λ１の光が通過したときに、ｎ（ｎは整数であり且つｎ≠ｍ）次回折光が最も光量が高くなる回折構造を有していると好ましい。
【００１３】
前記光学素子は、単一の素子を有すると好ましい。
【００１４】
前記光学素子は、複数の素子を有すると好ましい。
【００１５】
前記第２の本発明の光通信モジュールの組付方法によれば、
前記光ファイバと、前記光学部材と、前記発光素子及び前記受光素子とが基準位置となるように、前記第１の部材と、前記第２の部材と、前記第３の部材とを位置決めするステップと、
前記発光素子から出射された波長λ２の光束が、前記光ファイバの端面に結像するように、前記光学部材の光軸方向における前記光ファイバと前記第２の部材との相対位置、及び前記光軸方向における前記第２の部材と前記第３の部材との相対位置を設定するステップと、
前記光ファイバより波長λ１に光束を入射させたとき、前記受光素子の受光する光量が増大するように、前記第２の部材と前記第３の部材を前記光学部材の光軸回りに相対回転させるステップと、前記第２の部材と前記第３の部材の間隔を調整することで前記受光素子と前記発光素子のピッチ誤差を補正するステップとを有するので、前記第１部材と前記第２部材と前記第３部材の製造誤差に関わらず、前記光ファイバと、前記光学部材と、前記発光素子及び前記受光素子とを、最適な相対位置に精度良く配置できるため、エラー信号の発生を抑制することができる。
【００１６】
前記発光素子から出射された波長λ２の光束が、前記光ファイバの端面の所定位置に結像するように、前記光軸方向に直交する方向における前記第１の部材と前記第２の部材との相対位置を設定するステップを更に有すると好ましい。
【００１７】
前記第１の部材と、前記第２の部材と、前記第３の部材とを互いに溶接するステップを更に有すると、半永久的な固定を行えるので好ましい。
【発明を実施するための最良の形態】
【００１８】
以下、本発明の実施の形態を、図面を参照して説明する。図１は、本実施の形態による光通信モジュールの概略的断面図である。尚、エシュロン型の回折構造に関しては、理解しやすいように実際より誇張して描いている。
【００１９】
図１において、ＳＵＳなどから形成されると好ましいケース６は、第１の部材６ａと、第２の部材６ｂと、第３の部材６ｃとを含み、第２の部材６ｂ内の中央に、樹脂製のレンズ（光学部材ともいう）５が配置されている。又、第１の部材６ａの図で右端には、中空円筒状の保持体３が嵌合的に取り付けられており、その内部に光ファイバ１が挿通されている。光ファイバ１は光通信システムに接続されることによって、別な端末との間で送受する光信号を伝播可能であり、その端面１ａにおいて受信光を照射し且つ発信光を入射する構成となっている。更に、第３の部材６ｃの図で左端は、基板２を囲う筐体２ａに突き当て固定されており、基板２の内側面には、フォトダイオードからなる受光素子４と、発光素子ユニット７とが取り付けられている。発光素子ユニット７は、半導体レーザである発光素子７ａと、ガラス製のレンズ７ｂとを一体的に組み付けてなる。受光素子４と発光素子７ａとは、基板２の植設されたコネクタ８を介して、電気信号を伝達可能に外部の端末機器（不図示）に接続されるようになっている。
【００２０】
図２（ａ）は、レンズ５を光ファイバ側から見た図であり、図２（ｂ）は、図２（ｂ）のレンズ５を光軸と垂直線とを含む面で切断して示す（矢視Ｂ−Ｂ）断面図である。レンズ５は、受光素子４と発光素子７ａ側には非球面の光学面（正の屈折力を有する第２光学面）を有している。又、レンズ５は、光ファイバ１側の光学面（正の屈折力を有し且つ回折構造を有する第１光学面）が非球面曲面となっており、その上にエシュロン型の回折構造５ａを形成している。エシュロン型の回折構造５ａは、図２（ｂ）に示すように、光学面上において水平方向に延在し周期的に繰り返す階段格子５ｂによって形成されている。回端格子５ｂは、点線で示す母非球面ＭＳに沿って形成されており、１つの階段格子５ｂは、例えば、段数が４であり、全体の高さＨを１５μｍ、全体の幅Ｗを３８μｍに設定できる。
【００２１】
図３は、光ファイバ１と、レンズ５と、受光素子４及び発光素子７ａとの位置関係を示す概略三次元図である。図３において、レンズ５は、その光軸をＺ軸に一致させるようにして配置されているものとする。受光素子４は、その受光面がＺ軸上になるように配置されている。ここで、光ファイバ１の中心と発光素子７ｂの中心とを結んだ線（点線）を含み、ＹＺ平面に直交する面を所定の面と定義して、回折構造５ａを通過した光束の回折角θ１，θ２を規定するものとする。一方、光ファイバ１の端面１ａは、原点からＹ軸（回折構造５ａの並び方向）に沿って＋Δｙだけ離れた位置に配置され、端面１ａと、レンズ５のエシュロン型の回折構造５ａを結んだ延長線上であって、所定の結像関係が成立する位置に発光素子７ａが配置されている。
【００２２】
図１〜３の光通信モジュールを光信号の送受のための光双方向の光通信装置に適用した場合、発光素子７ａから所定の信号に基づき変調された例えば波長λ２＝１．３１μｍのレーザ光が出射され、レンズ７ｂを介してレンズ５に入射するが、このときエシュロン型の回折構造５ａは、波長λ２＝１．３１μｍについては回折効果を発揮しない（すなわち０次回折光の光量が最大となる）ような構成となっているため、点線で示すようにレーザ光は０次回折光として直進し、光ファイバ１の端面１ａに入射して、光ファイバ１を通して外部の端末機器へと送られる。
【００２３】
一方、光ファイバ１から送られてきて端面１ａから出射された例えば波長λ１＝１．４９μｍの光は、レンズ５の光学面に斜入射するが、非球面曲面であるために、入射した発散光束が平行光束に変換される。更にエシュロン型の回折構造５ａが、波長λ１＝１．４９μｍについては、回折効果を発揮することで１次回折光の光量が最大となるような構成となっているため、入射光に対して実線で示すように角度付けされて回折構造５ａから発生した１次回折光は、受光素子４の受光面に結像し電気信号に変換されるようになっている。かかる電気信号に基づいて、送信された情報を取得することができる。なお、光通信モジュールは、全体としてケース６内に収容されて遮光状態で使用される。
【００２４】
図４は、光ファイバ１の端面１ａを拡大して示す側面図である。図４において、光ファイバ１の端面１ａは、保持体３（図１）によって保持された光ファイバ１の軸線Ｐ（図３に示すＺ軸に平行）に対して、θ度傾いている。従って、光ファイバ１の内部から端面１ａを介して射出される光は、軸線Ｐに対してφ度傾いた状態で出射することとなる。角度φは、光ファイバの材質と空気との屈折率の比に従い、角度θをパラメータとして求めることができる。
【００２５】
エシュロン型の回折構造５ａを通過する光の角度の適否について、以下に考察を行う。図５は、レンズ５におけるエシュロン型の回折構造を通過する光を模式的に示す図である。ここで、エシュロン型の回折構造における階段格子５ｂのピッチｐを２６．４μｍ、１段の高さｓを４．９μｍ、段スロープ角αを６．５度とする。レンズ５の光学面に、コートは被覆されていないものとする。図５（ａ）に示すように、波長λ２＝１．３１μｍの光を、レンズ５の光軸に平行に空気側から回折構造５ａに入射させ、且つ波長λ１＝１．４９μｍの光を、レンズ５の光軸に平行にレンズ５側から回折構造５ａに入射させた場合、光透過率（ＴＥ，ＴＭは偏光方向が互いに直交する向き）は以下のようになった。
（光透過率）
波長λ１の１次回折光／ＴＥ：７２．１６％、ＴＭ：７１．３０％
波長λ２の０次回折光／ＴＥ：５６．５０％、ＴＭ：５７．２８％
【００２６】
更に、図５（ｂ）に示すように、波長λ２＝１．３１μｍの光を、レンズ５の光軸に平行にレンズ５側から回折構造５ａに入射させ、且つ波長λ１＝１．４９μｍの光を、レンズ５の光軸に平行に空気側から回折構造５ａに入射させた場合、光透過率は以下のようになった。
（光透過率）
波長λ１の１次回折光／ＴＥ：６５．０４％、ＴＭ：６３．９４％
波長λ２の０次回折光／ＴＥ：５６．４８％、ＴＭ：５７．２８％
【００２７】
すなわち、以上の検討結果によれば、波長λ１の光を、レンズ５の光軸に平行に空気側から回折構造５ａに入射させた場合より、レンズ５の光軸に平行にレンズ５側から回折構造５ａに入射させた場合の方が高い光透過率を得ることができることがわかる。しかしながら、図５（ａ）の構成だと、回折構造５ａから出射される波長λ１の１次回折光が、受光素子４の受光面に集光するように調整することが難しいという問題がある。
【００２８】
これに対し、図５（ｃ）に示すように、波長λ２＝１．３１μｍの光を、レンズ５の光軸に斜めにレンズ５側から回折構造５ａに入射させ、且つ波長λ１＝１．４９μｍの光を、レンズ５の光軸に斜めに空気側から回折構造５ａに入射させ且つ１次回折光を光軸に沿って出射させるようにした場合には、光透過率は以下のようになった。
（光透過率）
波長λ１の１次回折光／ＴＥ：７２．１７％、ＴＭ：７１．３１％
波長λ２の０次回折光／ＴＥ：５４．１９％、ＴＭ：５３．６２％
【００２９】
即ち、波長λ１の光を、レンズ５の光軸に平行に空気側から回折構造５ａに入射させた場合と、レンズ５の光軸に斜めに空気側から回折構造５ａに入射させ且つ１次回折光を光軸に沿って出射させるようにした場合とでは、ほぼ等しい光透過率を得ることができることがわかった。又、かかる配置であれば、レンズ５の光軸に受光素子４の受光面があるようにあらかじめ配置して、０次回折光と１次回折光とがそれぞれ適切に集光するような位置関係で調整を行えば足り、より容易に組付けを行うことができる。
【００３０】
更に、本実施の形態の光通信モジュールによれば、レンズ５の光ファイバ１側に向いた曲面の光学面が正の屈折力を有するため、光ファイバ１より波長λ１の発散光が斜入射したときに、これを平行光束になるように変換する。従って、レンズ５の曲面の光学面に形成したエシュロン型の回折構造５ａへの入射光束は全て平行光束となるので、回折構造５ａで発生した１次回折光（２次以上の回折光であっても良い）を、レンズ５の光軸に沿って或いは平行に精度良く進行させることができ、その結果として光透過率を高く維持できる。加えて、発光素子７ａと、レンズ５との間にレンズ７ｂを設けているので、レンズ５が、光ファイバ１の端面１ａ側に、その平面の光学面を設けることで、収差劣化をより抑制することができる。
【００３１】
図６は、より具体的な形で示す本実施の形態の光通信モジュールの断面図であり、図７は、光通信モジュールの斜視図であり、図８は、光通信モジュールの組付工程を示すフローチャート図である。なお、図６，７に示す光通信モジュールは、図１に示す光通信モジュールと基本的に同様な構成を有し、同じ機能を有する部材には同じ符号を付して説明を省略する。
【００３２】
図６において、中空円筒状の第２の部材６ｂは、図で下端内周側に円筒状の段部６ｄを形成しており、ここに脚部５ａを有するレンズ５を取り付けている。中空円筒状の第３の部材６ｃは、図で下端を筐体２ａに固定することで、それと一体となっている。即ち、筐体２ａは第３の部材の一部を構成する。第３の部材６ｃの上端は、第２の部材６ｂの下端を内包するように嵌合している。第３の部材６ｃの上端と、第２の部材６ｂの下端とは、レンズ５の光軸直交方向にガタが生じないような寸法となっており、且つ光軸方向に摺動可能及び光軸直交方向に回転可能となっている。なお、第３の部材６ｃと第２の部材６ｂとの間には、後述する溶接を考慮して潤滑油等を塗布しないことが望ましい。
【００３３】
第２の部材６ｂの上端には、中空円筒状の第１の部材６ａの下端に形成されたフランジ部６ｅが突き当てられており、第２の部材６ｂの上端と、第１の部材６ａのフランジ部６ｅとは、レンズ５の光軸直交方向に摺動可能となっている。更に、第１の部材６ａと、それに嵌合する円筒状の保持体３とは、光ファイバ１の光軸直交方向にガタが生じないような寸法となっており、且つ光軸方向に摺動可能となっている。
【００３４】
次に、本実施の形態の光通信モジュールの組み付け方法について説明する。なお、光ファイバ１側には検査用の受光部が設けられ、また受光素子４から出力される信号をモニタする検査用モニタが設けられているものとする。
【００３５】
まず、図８のステップＳ１０１において、それぞれ光ファイバ１，レンズ５，発光素子ユニット７及び受光素子４を保持した部材６ａ、６ｂ、６ｃを基準位置（設計位置）において仮止めする。次に、ステップＳ１０２において、発光素子ユニット７から出射された波長λ２の光束が、光ファイバ１の端面に結像する（焦点が合う）ように、光軸方向に沿って光ファイバ１を第１の部材６ａ（即ち第２の部材６ｂ）に対して相対的に移動させ（図３で矢印Ａに示す方向）、更に光軸方向に沿って第２の部材６ｂを第３の部材６ｃに対して相対的に移動させ（図３で矢印Ｂに示す方向）、それぞれ相対位置をセットする。
【００３６】
更に、ステップＳ１０３において、光ファイバ１より波長λ１に光束を入射させたとき、受光素子４の受光する光量が最も増大するように、第２の部材６ｂと第３の部材６ｃを光軸回りに相対回転させる（図３で矢印Ｃに示す方向）。このとき、光ファイバ１の末端にＣＣＤカメラ等を配置して、これを用いて受光素子４からの反射光を観察することで、最適な相対回転位置を判別することもできる。
【００３７】
ここで、第２の部材６ｂが光軸回りに回転する間に、光軸方向に移動する恐れがあるので、焦点位置がずれる恐れがある。そこで、ステップＳ１０４で、焦点位置が合っているかどうか確認し、合っていない場合には、再びステップＳ１０２，Ｓ１０３を繰り返す。一方、焦点位置が合っている場合には、ステップＳ１０５で、レンズ５の光軸に対する光ファイバ１の偏心量を調整するために、第１の部材６ａを第２の部材に対して光軸直交方向に移動する。第２の部材と第３の部材の間隔により発光素子ユニット７と受光素子４のピッチを調整し、再度光ファイバをアライメントし直す。その後、ステップＳ１０６で、レーザ等を照射することで部材６ａ、６ｂ、６ｃを相互に溶接する（図７においてＷで示す部位）。以上で、光通信モジュールを組み付けることができる。なお、ステップＳ１０２，Ｓ１０３は逆の順序で行っても良い。
【００３８】
図９は、別な実施の形態にかかる光通信モジュールの断面図である。本実施の形態において、図６の実施の形態と異なる点は、光学素子が複数の素子からなっていることである。より具体的には、光学素子は、光学面が屈折面のみからなるレンズ５Ａと、平行平板に回折格子（図２参照）を形成した回折素子５Ｂとからなっている。なお、本実施の形態においては、第２の部材６ｂの段部６ｄに回折素子５Ｂを取り付け、レンズ５Ａは、第３の部材６ｃの図で上端に形成された円筒状の段部６ｆに固定されている。
【００３９】
回折素子５Ｂを通過した光束が指向性を有するので、本実施の形態において、第２の部材６ｂと第３の部材６ｃとは、光軸方向に相対的に移動可能に嵌合されるとともに、光軸回りに相対回転可能な構成となっている。それ以外については、図６に示す光通信モジュールと基本的に同様な構成を有するので、同じ機能を有する部材には同じ符号を付して説明を省略する。
【００４０】
本実施の形態では、レンズ５Ａの焦点位置を固定したまま回折素子５Ｂを光軸方向に移動可能としたことで、受光素子４と発光素子ユニット７との位置ズレに対し、光束の入射位置あるいは出射位置を焦点位置とはほぼ独立に調整することができ、各々の素子に対し入射光或いは出射光の光学的な結合を正確に行わせることが容易にできる。
【００４１】
以上、本発明を実施の形態を参照して説明してきたが、本発明は上記実施の形態に限定して解釈されるべきではなく、適宜変更・改良が可能であることはもちろんである。
【図面の簡単な説明】
【００４２】
【図１】第１の実施の形態による光通信モジュールの概略的断面図である。
【図２】図２（ａ）は、レンズ５を光ファイバ側から見た図であり、図２（ｂ）は、図２（ｂ）のレンズ５を光軸と垂直線とを含む面で切断して示す（矢視Ｂ−Ｂ）断面図である。
【図３】光ファイバ１と、レンズ５と、受光素子４及び発光素子７ａとの位置関係を示す概略三次元図である。
【図４】光ファイバ１の端面１ａを拡大して示す側面図である。
【図５】レンズ５におけるエシュロン型の回折構造５ａを通過する光を模式的に示す図である。
【図６】より具体的な形で示す本実施の形態の光通信モジュールの断面図である。
【図７】光通信モジュールの斜視図である。
【図８】光通信モジュールの組付工程を示すフローチャート図である。
【図９】別な実施の形態の光通信モジュールの断面図である。
【符号の説明】
【００４３】
１ 光ファイバ
１ａ 端面
２ 基板
２ａ 筐体
３ 保持体
４ 受光素子
５，５Ａ レンズ
５ａ 回折構造
５ｂ 階段格子
５Ｂ 回折素子
６ ケース
６ａ 第１の部材
６ｂ 第２の部材
６ｃ 第３の部材
７ 発光素子ユニット
７ａ 発光素子
７ｂ レンズ
【図１】
2008233584.tif 000003
【図２】
2008233584.tif 000004
【図３】
2008233584.tif 000005
【図４】
2008233584.tif 000006
【図５】
2008233584.tif 000007
【図６】
2008233584.tif 000008
【図７】
2008233584.tif 000009
【図８】
2008233584.tif 000010
【図９】
2008233584.tif 000011